(57)【特許請求の範囲】
【請求項１】
パチンコ機の盤面に設けられ、所定の複数個以下の球を一時的に貯留する貯留構造であって、
球の受入口と排出口とを有するとともに上記貯留された球を、遊技者が目視可能に貯留する貯留部と、排出口の開閉を行う開閉部材とを備え、
上記開閉部材は、遊技者が目視可能に回転可能なものであり、該回転により上記排出口を開閉するように構成されており、
上記開閉部材の回転は、上記排出口の閉から開までの時間が球の射出間隔よりも長くなる所定の速度を有し、
上記貯留部は、上記排出口からの球の排出を阻止して球を貯留する貯留態様と、該貯留された球を該排出口から排出する排出態様との間を相互に変換可能な構成であって、該貯留態様から該排出態様に変換された際には該貯留された全ての球が連続して排出口から排出されるように構成されているとともに、開閉部材の回転に伴い貯留された球とともに移動するように構成されていることを特徴とするパチンコ機の貯留構造。
【請求項２】
上記開閉部材は上記回転により上記受入口の開閉も行い、
受入口と排出口とは少なくともいずれか一方が、常に開閉部材によって少なくともその一部が閉じられて球の出入りを阻止されていることを特徴とする請求項１記載のパチンコ機の貯留構造。
【発明の詳細な説明】
【０００１】
【発明の属する技術分野】
本発明は、パチンコ機の盤面に設けられ、所定の複数個以下の球を一時的に貯留する貯留構造及びこれを備えたパチンコ機に関する。
【０００２】
【従来の技術】
パチンコ遊技は、遊技者がハンドル操作によって遊技盤の盤面上にパチンコ球を打ち出して、その盤面上に複数設けられた入賞口にその球を入れることを目的とする遊技である。入賞口に球が入ると複数の賞球が遊技者に排出されるので、遊技者は多くの賞球を得ようとして、入賞口により多くの球を入賞させるよう遊技に熱中する。
【０００３】
このように入賞口により多くの球が入るようにするために、これまでに様々な工夫がされてきた。こういった工夫として、入賞口の近くに球の貯留装置を設けて、貯留装置に貯留された球を入賞口に入れるようにした構造を一例として挙げることができるが、このような構造のパチンコ機は、特開平６−１７８８５５号公報、特開平７−１２４３０３号公報及び特開平１０−１５５９７８号公報等に記載されていように従来より種々知られている。
【０００４】
【発明が解決しようとする課題】
しかしながら、上記公開公報に記載された貯留装置は、球を１個貯留してその球を入賞口の方へ出したり、複数個貯留しても出すのは一つずつ別々であったりして、より多くの賞球を得たいという遊技者の気持ちを満たすものではなかった。また、球を貯留したり排出したりする動きも単純で遊技者を楽しませるものではなかった。
【０００５】
本発明はこのような事情に鑑みてなされたものであり、その目的とするところは、複数の球を一度に連続して面白い動きで払い出すことができるパチンコ機の貯留構造及びこれを備えたパチンコ機を提供することにある。
【０００６】
【課題を解決するための手段】
上記の目的を達成するために、所定の複数個までは貯留でき、貯留された球は、一度に全て排出する構造とした。
【０００７】
具体的には、請求項１の発明は、パチンコ機の盤面に設けられ、所定の複数個以下の球を一時的に貯留する貯留構造を対象とする。
【０００８】
そして、球の受入口と排出口とを有するとともに上記貯留された球を、遊技者が目視可能に貯留する貯留部を備え、上記貯留部は、上記排出口からの球の排出を阻止して球を貯留する貯留態様と、該貯留された球を該排出口から排出する排出態様との間を相互に変換可能な構成であって、該貯留態様から該排出態様に変換された際には該貯留された全ての球が連続して排出口から排出されるように構成されているものとする。
【０００９】
請求項１の発明の構成であれば、貯留態様においては貯留部に球を所定の複数個以下貯めることができる。そして、このように貯まった球は、目視可能であるので、遊技者は現在の球の貯留数を視認でき、より多くの球を貯めようと遊技に熱中する。それから、貯留部が貯留態様から排出態様に転換すると、貯まっている球が一度に全部、連続して排出口から排出されるので、排出される先が高い確率で入賞するように構成されている場所であったり、入賞口の入り口そのものであったりすれば、複数の球が連続して移動して入賞するであろうから遊技者の興奮が高まる。
【００１０】
ここで、貯留する球を目視可能にするには、例えば貯留部の壁面の一部に窓を開けておいたり、一部の壁面をパチンコ機前面のガラス板にすること等が挙げられる。また、貯留部は所定の個数までの球が貯留されるように構成されているので、排出態様となった際に排出される球の個数は、球が貯留されていなければ０個であり、球が貯留されていれば一個〜所定の個数のいずれかであり、その時その時によって排出個数が異なるようになっている。なお、貯留態様から排出態様に変換される条件としては、例えば、一定時間毎であることや、特定の入賞口、開口又はゲートなどに球が入ったこと、あるいは盤面に設けられた液晶画面に特定の数字やマークが出たこと等を挙げることができる。
【００１１】
次に、請求項２の発明は、受入口から貯留部に入った球を、排出口からの排出を阻止して保持する保持部材を備え、上記保持部材は、遊技者が目視可能に移動可能なものであり、該移動により上記球を上記排出口に導入するように構成されていることを特徴とする請求項１記載のパチンコ機の貯留構造である。
【００１２】
請求項２の発明の構成であれば、保持部材が貯留部に入ってきた球を排出口に入らないように保持して、その状態から保持部材が移動して保持されている球が排出口に入るようになる。このとき保持部材の動きを遊技者が見ることができるように構成されているので、遊技者は貯留された球が排出口に入っていくのがわかり、興奮が高まる。保持部材の移動としては、保持部材の位置が直線的或いは曲線的に移動する動きや、保持部材自身が延びたり縮んだりするような保持部材の変形する動きなどを挙げることができる。
【００１３】
次に、請求項３の発明は、排出口の開閉を行う開閉部材を備え、上記開閉部材は、遊技者が目視可能に回転可能なものであり、該回転により上記排出口を開閉するように構成されていることを特徴とする請求項１記載のパチンコ機の貯留構造である。
【００１４】
請求項３の発明の構成であれば、開閉部材が目視可能に回転することができ、その回転によって排出口を開閉するので、遊技者は開閉部材の回転を視認して排出口が開くタイミングを確認することができる。即ち、目視可能に回転する開閉部材が、その回転により貯留態様と排出態様との間を相互に変換させているのである。従って、排出口が開くまでにできるだけ多くの球を貯留しようと遊技に熱中し、球が多く貯留されているときには、排出口開のタイミングを期待しながら開閉部材の回転を見守ることになる。
【００１５】
次に、請求項４の発明は、貯留部が開閉部材の回転に伴い貯留された球とともに移動するように構成されていることを特徴とする請求項３記載のパチンコ機の貯留構造である。
【００１６】
請求項４の発明の構成であれば、貯留部と貯留された球とが開閉部材の回転とともに回転して移動していき、最終的に球は排出口に排出されるため、貯留部と球の双方の動きが強調されて、遊技者におもしろさを感じさせる。
【００１７】
次に、請求項５の発明は、貯留部が排出口の上又は横に固定されていることを特徴とする請求項３記載のパチンコ機の貯留構造である。
【００１８】
請求項５の発明の構成であれば、開閉部材が排出口を開としたときに、貯留された球が停止している状態から一気に転がって排出口に入っていくため、その球の動きが面白く遊技者を楽しませる。
【００１９】
次に、請求項６の発明は、請求項１乃至５のいずれかに記載のパチンコ機の貯留構造を備え、排出口から排出された球が、盤面裏面を通って貯留部から離れた場所に開口した出口から盤面前面に出現するように構成されていることを特徴とするパチンコ機である。
【００２０】
請求項６の発明の構成であれば、排出口から排出された球が盤面の裏面を通って別の場所に開口された出口から盤面前面に一度に連続して現れるため、球の動きが面白く、遊技者を楽しませる。さらに、この出口から出てきた球が高い確率で入賞するように構成されていると、遊技者の興奮度が高まる。
【００２１】
【発明の実施の形態】
以下、本発明の実施の形態を図面に基づいて説明する。
【００２２】
（実施形態１）
図１は、本発明に係るパチンコ機の一例を示したもので、図２はその盤面１を拡大した図である。盤面１の下に設けられた操作部９を遊技者が把持して回転操作すると、球１０が打ち出され、盤面１の前面側を落下していく。盤面１には、役物入球口２と、この役物入球口２と盤面１裏面において連結している第一出口３と、第一出口３から出てきた球１０を受け入れて複数貯留することのできる本発明の貯留構造に係る貯留装置４と、貯留装置４の送り出し口５と盤面１裏面において連結していて払い出された球１０が盤面１前面側に出てくる第二出口７と、第二出口７から出てきた球１０を受け入れる特別入賞口８と、スルーチャッカー６，６と、下部入賞口１２，１２とが設けられている。
【００２３】
上記役物入球口２のところに設けられた球受部材１１は、図３（ａ）に示すように、普段は役物入球口２の中に収納されている退避位置にあり、その前方側の端部は盤面１と略面一となって役物入球口２の外縁の一部を形成している。そして、球受部材１１は、役物入球口２の下端から鉛直下方に盤面１内に設けられている回転軸１３に取り付けられていて、この回転軸１３が１８０度回転することにより、図３（ｂ）に示すように、役物入球口２の前に出現して突出位置となる。なお、図３においては、玉受構造を盤面本体に取り付けるための部品が示されており、図３において盤面１として示されている板材の厚みよりも盤面本体の厚みはずっと厚く、この盤面１に平行に設置された回転軸１３は、盤面本体内において図示しない回転駆動部に接続された状態になっている。役物入球口２の案内壁となっている部分についても図３に示されている盤面１の厚み分よりも、裏面側に長く突き出した状態で設けられている。そして、回転軸１３の上端は球受部材１１の下面に設けられた凹部に填め込まれて固定されている。
【００２４】
このように突出位置となったときには、球受部材１１は、上側に開口した半球を鉛直に切断して二分割した１／４球のような形状をしている。つまり、お椀を縦に切断して二分割したような形であって、この切断された部分が役物入球口２の外縁の下側の部分に位置して、ちょうど片口の注ぎ口のような形状をしている。球受部材１１の役物入球口２に臨んでいる内側の面は窪んだ曲面であって、このうちの底面部分は盤面１から前方にいくにつれて上方に傾斜しているので、この曲面に落下してきた球１０が当たって、役物入球口２の中に入るように跳ね返される。即ち、球受部材１１の中に入ってきた球１０はほぼ確実に役物入球口２の中に入るようになっていて、役物入球口２の中に入らないで外側にはじき出される可能性は少ない。
【００２５】
図３（ｂ）のように突出位置にある球受部材１１は、再度回転軸１３が１８０度回転することにより、図３（ａ）のように盤面１内に退避して退避位置となる。この状態では、役物入球口２は盤面１に対して垂直に開口していて、球受部材１１もその前端部が盤面１と略面一になっているので、盤面１前方を落下していく球１０は、役物入球口２の中には入らない。
【００２６】
このように、球受部材１１が突出位置にあるときには、そこに落下してきた球１０はほぼ確実に役物入球口２の中に導き入れられるし、球受部材１１が退避位置にあるときには、役物入球口２の中には球は入らない。
【００２７】
球受部材１１が退避位置から突出位置に移動するタイミングは、種々のタイミングを設定することができるが、ここでは、いずれか一方のスルーチャッカー６，６を球１０が通過したときに、この球１０の通過をセンサで検知して、球受部材１１を突出位置に移動させて役物入球口２の前に出現させるようにしている。そして、突出位置にある球受部材１１を退避位置に移動させるタイミングも種々のタイミングに設定できるが、ここでは、突出位置に出現してから５秒が経過したタイミングとしている。この５秒間に役物入球口２のところに球が落下して来ると、役物入球口２の中に入るのである。
【００２８】
次に、役物入球口２に入った球１０の移動について説明する。役物入球口２は盤面１の裏面側で不図示の第一の通路により第一出口３に繋がっているので、役物入球口２に入った球１０は、その第一の通路を通って第一出口３より盤面１の前面側に現れる。第一出口３の鉛直下方には、図４に示すように、貯留装置４の受入口２２が設けられており、そこまでは案内壁２１が設けられていて球１０をほぼ確実に貯留装置４に導くようになっている。
【００２９】
この貯留装置４は、盤面１に同心二重円筒として設けられていて、二つの円筒２３，２４の側壁間に複数の球１０を貯められるようになっている。ここでは５個の球１０が入るだけの空間２５（貯留部）が設けられていて、残りの空間には球が入らないように空間を仕切る邪魔板２６（開閉部材）が内側円筒２３に設置されている。内側円筒２３は邪魔板２６とともに中心軸まわりにゆっくりと時計方向に常時回転しているが、外側円筒２４は固定されている。そして、貯留装置４の前面は盤面１の前に設置されたガラス板であるので、貯留装置４の内部を遊技者が目視することができ、貯留された球１０を視認できる。つまり、貯留部である空間２５が邪魔板２６の回転に伴い、貯留された球１０とともに回転していくのである。
【００３０】
球１０のはいる空間２５が球１０の受入口２２と繋がっている態様が貯留態様であるが、このときに空間２５に入っている球１０の数が５個未満であるときは、受入口２２からさらに球１０が空間２５内に入っていくことができる。それから内側円筒２３が回転して、球の入っている空間２５が外側円筒２４の下端に設けられた排出口２７と繋がって排出態様になると、空間２５内の球１０はその排出口２７から出ていって、その下方にある送り出し口５の中に入っていく（図４（ｂ）参照）。このように、貯留されている球１０が空間２５から排出されるタイミングは、内側円筒２３及び邪魔板２６の一回転に一度である。
【００３１】
このとき、空間２５の中に複数の球１０が貯留されていると、これらの球１０は、全部が連続して一度に送り出し口５の中に入っていく。一度に送り出し口５に入っていく球１０の数はいつも同じではないが、遊技者は複数個の球１０が一度に送り出し口５に入っていくと興奮度が高まり、その動きに爽快感を覚える。
【００３２】
上記貯留装置４の球の受入口２２と排出口２７とは、両方同時に球１０が出入りできるように空間２５と繋がるような配置になっていると、所定の個数（ここでは５個）以上の球１０が一度に送り出し口５の中に入っていってしまう可能性があるので、受入口２２と排出口２７とは同時に空間２５と繋がらないような配置となっている。
【００３３】
さらに、貯留装置４は、盤面１前面に設けられたガラス板を通して球の入る空間２５や内側円筒２３及び邪魔板２６の動き、あるいは送り出し口５等を遊技者が見ることができるように構成されているので、遊技者は球１０の貯まっている個数を視認してその数を増やそうと遊技に熱中し興奮することになる。また、邪魔板２６が排出口２７を塞いでいる状態から、少しずつ回転して球１０を貯留した空間２５と排出口２７とが繋がる状態に近づいていくと、遊技者はガラス板を通してその様子を見ることができるので、貯留された球１０がまもなく一度に払い出されるはずだと、期待が高まる。
【００３４】
上記送り出し口５は、盤面１裏面において不図示の第二の通路で第二出口７に繋がっている。送り出し口５に入った球１０は、この第二の通路を通って第二出口７から盤面１の前面側に出てくる。第二出口７の下方には、チューリップを備えた特別入賞口８が設置されており、第二出口７から出てきた球１０は、高い確率でこの特別入賞口８に入りることになり、遊技者の興奮と喜びは非常に大きくなる。
【００３５】
次に、各下部入賞口１２は、盤面１に設けられた開口と、盤面１から前方に張り出し上方が開口したＵ字溝状の球を受ける部分と、そのＵ字溝の前面を塞ぐ蓋の部分とからなっている。この下部入賞口１２に球１０を導入するための構造であってＵ字溝状部分と蓋部分とに替わるものとして、図８乃至図１１に示す構造をさらに挙げることができる。これらの構造であっても球１０をほぼ確実に下部入賞口１２の中に導くことができるし、入賞口ではない盤面１の開口部にこれらの構造が設けられれば、その中に球をほぼ確実に導き入れる。
【００３６】
図８に示す球導入部材３１は、下部入賞口１２の下方に、下部入賞口１２とは離して設けられた板状部材である。図８（ａ）のように下部入賞口１２から下方に離れた状態で有るときには、球導入部材３１のところに球１０が来ても下部入賞口１２には導かれない。この球導入部材３１は、所定の条件で上昇し、下部入賞口１２の下端部と該球導入部材３１の上面とが略一致するようになる。そして、このときに下部入賞口１２の前に落下してきた球１０を球導入部材３１の上面が受け止めて下部入賞口１２の中に導く。
【００３７】
図９に示す二つの球導入部材３２，３２は、下部入賞口１２の両脇の支持軸４１，４１に一端が回転自在に取り付けられた板状部材であって、通常は図９（ａ）に示すように、支持軸４１，４１から下方に垂れ下がっており、この状態では球１０を下部入賞口１２には導かない。所定の条件になると支持軸４１，４１が回転して、下端側が下部入賞口１２の方に接近する。そして、図９（ｂ）に示すように、下部入賞口１２の下端と球導入部材３２，３２の上面とが略一致して、下部入賞口１２の前に落下してきた球１０を球導入部材３２，３２の上面が受け止めて下部入賞口１２の中に導く。
【００３８】
図１０に示す球導入部材３３は、下部入賞口１２の横に設けられた支持軸４１に一端が回転自在に取り付けられ、他端の近傍に下部入賞口１２側に設けられた窪み３４を有する板状部材であって、通常は図１０（ａ）に示すように、支持軸４１から下方に垂れ下がっており、この状態では球１０を下部入賞口１２には導かない。所定の条件になると、図１０（ｂ）に示すように、支持軸４１が回転して窪み３４が下部入賞口１２の下端部に略一致して、下部入賞口１２の前に落下してきた球１０を球導入部材３３の窪み３４がほぼ確実に受け止めて下部入賞口１２の中に導く。
【００３９】
図１１に示す球導入部材３５は、図１０に示す球導入部材３３の窪み３４を変形させたものである。図１１の球導入部材３５の窪み３６は、球を確実に受けて下部入賞口１２に導入するように、下部入賞口１２の下端と窪み３６の下端とが略一致したときに、窪み３６の下端から前方にいくにつれ上方に傾斜している形状となっている。
【００４０】
これまで説明したように、本実施形態では半割お椀形状の球受部材１１が所定の条件で退避位置から突出位置に移動する、即ち役物入球口２の中からその前に出現するので、出現時には球受部材１１に入ってきた球１０がほぼ確実に役物入球口２に入ることになる。
【００４１】
球受部材１１は、盤面１に平行に設けられた回転軸１３により回動して役物入球口２の前に出現したり、収納されたりするので、その動きが面白くて遊技者の興味を引く。そして、回転軸１３をモータ等で駆動すればいいので駆動部を小型にできる。また、球受部材１１自体も役物入球口２の中に収納されるため、全体にコンパクトにすることができる。
【００４２】
また、役物入球口２は盤面１裏面において第一出口３と連結していて、第一出口３から出た球１０は貯留装置４に入り、そこでは５個まで球１０を貯留することができるので、遊技者は球１０を貯留装置４に多く貯めようと遊技に熱中するとともに、貯留装置４とその中に貯留された球１０の動きを見ることができて遊技の面白みが増す。
【００４３】
そして、貯留装置４に貯留された球１０は、全部が連続して一度に送り出し口５の中に入り、盤面１裏面を通って第二出口７から前面に出てきて、特別入賞口８に連続して入っていきやすいので、一度にたくさんの賞球を得られ、且つ大当たり抽選の回数が増えるため、遊技者の興奮を高めることができる。このときの球１０の動きも面白い動きであって遊技者を楽しませる。
【００４４】
なお、邪魔板２６は、常時回転している構成以外にも、所定の条件により回転し、別の所定の条件により停止するようにしたり、第一の通路、第一出口３又は受入口２２等にセンサ（透過型フォトインタラプタなど）を設けて所定個数の球１０が貯留されるまでは停止していて貯留されたら回転し排出するという構成にしてもよい。
【００４５】
（実施形態２）
実施形態２は、図５に示すように、貯留装置４の構成が実施形態１と異なるだけであり、その他の部分は実施形態１と同じであるので、貯留装置４の構成について以下説明をする。
【００４６】
本実施形態の貯留装置４は、円筒形の空間に半円形の開閉部材４３がその空間内で回転可能に軸支されている。開閉部材４３は円筒形空間のほぼ半分を占めている。円筒形の上部には、球１０が左右の側壁２１，４２に挟まれて、縦に５つ並んで貯留される貯留部４４が筒状に固定状態で設けられている。
【００４７】
図５（ａ）は貯留態様を、図５（ｂ）は排出態様を示している。貯留態様では、開閉部材４３が貯留部４４の排出口２７を閉状態にして、貯留部４４に球１０が貯留されるようにしている。開閉部材４３は時計回りにゆっくりと回転していて、図５（ａ）の状態から１８０度回転することにより、排出態様に転換させる。排出態様では、円筒形の空間のうち開閉部材４３が存していない通路空間４５が、排出口２７と送り出し口５とを連通させるため、貯留部４４に貯留された球１０が全て連続して排出口２７から排出され、送り出し口５の中に入っていく。貯留された球１０が全て送り出し口５に入ったら、開閉部材４３は素早く１８０度回転して貯留態様に戻る。
【００４８】
本実施形態においても、貯留装置４の前面はガラス板であって、球１０や開閉部材４３の動きを遊技者が見ることができ、遊技者を楽しませるとともに興奮を高める。
【００４９】
（実施形態３）
実施形態３は、図６、図７に示すように、貯留装置４の構成が実施形態１と異なるだけであり、その他の部分は実施形態１と同じであるので、貯留装置４の構成について以下説明をする。
【００５０】
本実施形態の貯留装置４は長方形の凹部空間５０を有し、その右上角部に第一出口３が設けられていて、左下角部には送り出し口５が設けられている。本実施形態では、第一出口３が受入口を兼ねており、送り出し口５が排出口を兼ねている。凹部空間５０の中央に、盤面１に垂直に回転軸５２が設けられていて、その軸から左右に貯留板５１（保持部材）が設けられている。貯留板５１は回転軸５２を中心にシーソーのように、左側が上がったり右側が上がったりする動きをする。
【００５１】
貯留態様（図７（ａ））では、貯留板５１は右側が下がっていて、その上面に第一出口３から出てきた球１０を、送り出し口５に入っていくことを阻止して、貯留する。そして、第一の通路内に設けられたセンサーで凹部空間５０内に入った球１０の数をカウントし、５個入ったら、貯留板５１の右側を上げて左側を下げる。このようにすると排出態様（図７（ｂ））となり、貯留された球１０全てが連続して一度に送り出し口５にの中に入っていく。なお、排出態様になっているときには、球受部材１１が退避位置であり続けるように設定されていて、球１０は貯留装置４の方には入って来ないようになる。貯留された球１０が全て送り出し口５の中に入ったら、貯留板５１の右側が上がって、再び貯留態様となる。このとき凹部空間５０に入った球１０のカウント数は０にリセットされる。
【００５２】
本実施形態においても、貯留装置４の前面はガラス板であって、球１０や貯留板５１の動きを遊技者が見ることができ、遊技者を楽しませるとともに興奮を高める。
【００５３】
（その他の実施形態）
上記の実施形態は例であって、本発明はこれらの例に限定されない。実施形態３において、貯留装置４を貯留態様から排出態様にするタイミングは、球１０が５個貯まる前であっても構わないし、別の入賞口に球が入ったり、盤面１に備えられたデジタル表示等が特定の表示になったとき等のタイミングであっても構わない。また、排出態様時に、貯留装置４内に球１０が入ってくるのを確実に阻止するために、受入口に球１０の進入阻止部材が出現するようにしても構わない。また、貯留装置４内部の形状も円筒形直方体に限定されないし、開閉部材の形状もどのような形状でもよい。役物入球口２から貯留装置４に連続して球１０が流れていく構成ではなくても良いし、送り出し口５は他の役物の入り口に繋がっていても構わない。
【００５４】
また、実施形態１又は２において、邪魔板２６や開閉部材４３は常時回転していなくてもよく、貯留態様で停止していて所定の個数の球が貯留部に入った時点で回転するように構成されていてもよい。さらに、実施形態２において、開閉部材４３が常時ゆっくりと回転していてもよく、その時は通路空間４５が実施形態１の貯留部である空間２５の機能を果たし、ここが第二の貯留部となる。即ち、実施形態２で説明した貯留構造と実施形態１で説明した貯留構造との両方を兼ね備えたものとなる。
【００５５】
また、実施形態３において、貯留装置４の凹部空間５０の形状も円形や楕円形等どのような形状でも構わない。貯留板５１の形状も特に限定されない。貯留板５１の動きもシーソーのような動き以外に、水平方向に移動したり、貯留板５１自身が伸縮したり等してもよい。
【００５６】
さらに、貯留態様と排出態様以外の態様を有していても構わない。例えば、ある条件で受入口と排出口とが両方とも閉となるような態様があっても構わない。また、貯留される球数の上限も特に限定されない。
【００５７】
球受部材１１の形状は半割りのお椀状でなくても構わなく、例えば嘴の下半分のように前端が尖っている形状などでもよい。また、盤面１における各装置や開口部の配置も特に限定されず、貯留装置は盤面１の上部や下部に設置されていても良いし、二つ以上設置されていても良い。また、役物入球口２は第二出口７に繋がっていても良いし、役物入球口２が入賞口であっても構わない。また、球受部材１１は役物入球口２の中からではなくその周辺の盤面１から出現するように構成されていても構わない。
【００５８】
球受部材１１が退避位置から突出位置に移動する第一の条件は、スルーチャッカー６，６を球が通過したという条件に限られず、例えば、別の入賞口に球が入ったり、盤面１に備えられたデジタル表示等が特定の表示になったとき等の条件を挙げることができる。球受部材１１を突出位置から退避位置に移動させる第二の条件も同様にどのようなものでもよい。
【００５９】
球受部材１１の替わりに、球導入部材３１，３２，３３，３５を用いて球受構造を構成しても構わない。
【００６０】
【発明の効果】
本発明は、以上説明したような形態で実施され、以下に述べる効果を奏する。
【００６１】
貯留態様で貯留部に複数の球を貯留し、排出態様で貯留された全ての球を連続して排出口から排出するので、複数の球が一度に入賞する可能性が高く遊技者に満足感を与える。貯留部に球を目視可能に貯留するので、遊技者はより多くの球を貯めようと遊技に熱中する。保持部材が目視可能に移動してその移動により球を貯留態様から排出態様にする、或いは開閉部材が目視可能に回転してその回転によって排出口を開閉するので、排出口への球の排出タイミングが目視でき、遊技者を楽しませる。排出口から排出された球は、盤面裏面を通って別の出口から出るので、球の動きが面白く、遊技者を楽しませる。
【図面の簡単な説明】
【図１】パチンコ機の全体を示した正面図である。
【図２】本発明に係るパチンコ機の盤面を示した正面図である。
【図３】（ａ）は、球受構造の退避位置を示す斜視図であり、（ｂ）は、突出位置を示す斜視図である。
【図４】（ａ）は、実施形態１に係る貯留装置の貯留態様を示す正面図であり、（ｂ）は、排出態様を示す正面図である。
【図５】（ａ）は、実施形態２に係る貯留装置の貯留態様を示す正面図であり、（ｂ）は、排出態様を示す正面図である。
【図６】実施形態３に係る貯留装置の斜視図である。
【図７】（ａ）は、実施形態３に係る貯留装置の貯留態様を示す正面図であり、（ｂ）は、排出態様を示す正面図である。
【図８】（ａ）は球導入部材が降下している斜視図であり、（ｂ）は、球導入部材が上昇している斜視図である。
【図９】（ａ）は、他の球導入部材が開いている斜視図であり、（ｂ）は、他の球導入部材が閉じている斜視図である。
【図１０】（ａ）は別の球導入部材が降下している斜視図であり、（ｂ）は、別の球導入部材が上昇している斜視図である。
【図１１】さらに別の球導入部材の斜視図である。
【符号の説明】
１              盤面
４              貯留装置
７              第二出口
１０            球
２２            受入口
２５            空間（貯留部）
２６            邪魔板（開閉部材）
２７            排出口
４３            開閉部材
４４            貯留部
５０            凹部空間（貯留部）
５１            貯留板（保持部材）
【図１】
0004058296.tif 000002
【図２】
0004058296.tif 000003
【図３】
0004058296.tif 000004
【図４】
0004058296.tif 000005
【図５】
0004058296.tif 000006
【図６】
0004058296.tif 000007
【図７】
0004058296.tif 000008
【図８】
0004058296.tif 000009
【図９】
0004058296.tif 000010
【図１０】
0004058296.tif 000011
【図１１】
0004058296.tif 000012